【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて複数のコンポーネントキャリア上で通信するための方法であって、
１つまたは複数のセルによって構成された前記複数のコンポーネントキャリアのための構成情報を、ユーザ機器（ＵＥ）によって取得することと、
前記１つまたは複数のセルを用いて制御チャネルおよびデータチャネルの並列送信を実行するようにとのインジケーションを、前記ＵＥによって受信することと、
前記並列送信が、前記複数のコンポーネントキャリアのうちの少なくとも１つのコンポーネントキャリア上でサポートされないと、前記ＵＥによって、および、前記インジケーションを受信することに基づいて、決定すること、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを、前記ＵＥによって送信することと
を備える、方法。
【請求項２】
前記制御チャネルまたは前記データチャネルのうちの１つを送信することは、前記並列送信が、前記少なくとも１つのコンポーネントキャリア上でサポートされないと決定することに基づいて、前記データチャネルを送信することを備え、前記データチャネル上で制御データを送信することをさらに備える、
請求項１に記載の方法。
【請求項３】
前記データチャネルが、前記少なくとも１つのコンポーネントキャリア上で送信されるようにスケジュールされないと決定することと、
前記複数のコンポーネントキャリアからの第２のコンポーネントキャリア上で第２のデータチャネルを識別することと
をさらに備え、送信することは、前記少なくとも１つのコンポーネントキャリア上で前記制御チャネルを送信することを備え、前記第２のコンポーネントキャリア上で前記第２のデータチャネルを送信することをさらに備える、
請求項１に記載の方法。
【請求項４】
前記第２のコンポーネントキャリア上で前記第２のデータチャネルを使用して制御データの少なくとも一部分を送信することをさらに備える、
請求項３に記載の方法。
【請求項５】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１に記載の方法。
【請求項６】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項１に記載の方法。
【請求項７】
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１に記載の方法。
【請求項８】
前記並列送信は、前記少なくとも１つのコンポーネントキャリア上でサポートされないと決定することは、不連続リソース割振りが、前記少なくとも１つのコンポーネントキャリア上でサポートされるかどうかを決定することを備える、
請求項１に記載の方法。
【請求項９】
前記制御チャネルおよび前記データチャネルの前記並列送信が複数のコンポーネントキャリア上で前記ＵＥによってサポートされると、前記１つまたは複数のセルのうちの少なくとも１つのセルに示すことをさらに備える、
請求項１に記載の方法。
【請求項１０】
前記制御チャネルおよび前記データチャネルの前記並列送信を実行するようにとの前記インジケーションを受信することは、前記制御チャネルおよび前記データチャネルの前記並列送信が複数のコンポーネントキャリア上で前記ＵＥによってサポートされると、前記少なくとも１つのセルに示すことに少なくとも部分的に基づく、
請求項９に記載の方法。
【請求項１１】
ワイヤレスネットワークにおいて複数のコンポーネントキャリア上で通信するためのユーザ機器であって、
トランシーバと、
前記ワイヤレスネットワークにおいて信号を通信するために、バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサおよび前記メモリは、
１つまたは複数のセルによって構成された前記複数のコンポーネントキャリアのための構成情報を取得することと、
前記１つまたは複数のセルを用いて制御チャネルおよびデータチャネルの並列送信を実行するようにとのインジケーションを受信することと、
前記並列送信が、前記複数のコンポーネントキャリアのうちの少なくとも１つのコンポーネントキャリア上でサポートされないと、前記インジケーションを受信することに基づいて、決定すること、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを送信することと
を行うように動作可能である、ユーザ機器。
【請求項１２】
前記少なくとも１つのプロセッサおよび前記メモリは、前記並列送信が、前記少なくとも１つのコンポーネントキャリア上でサポートされないと決定することに基づいて、前記データチャネルを送信するように動作可能であり、ここにおいて、前記少なくとも１つのプロセッサおよび前記メモリが、前記データチャネル上で制御データを送信するようにさらに動作可能である、
請求項１１に記載のユーザ機器。
【請求項１３】
前記少なくとも１つのプロセッサおよび前記メモリは、
前記データチャネルが、前記少なくとも１つのコンポーネントキャリア上で送信されるようにスケジュールされないと決定することと、
前記複数のコンポーネントキャリアからの第２のコンポーネントキャリア上で第２のデータチャネルを識別することと
を行うようにさらに動作可能であり、
前記少なくとも１つのプロセッサおよび前記メモリは、前記少なくとも１つのコンポーネントキャリア上で前記制御チャネルを送信するように動作可能であり、前記第２のコンポーネントキャリア上で前記第２のデータチャネルを送信するようにさらに動作可能である、
請求項１１に記載のユーザ機器。
【請求項１４】
前記少なくとも１つのプロセッサおよび前記メモリは、前記第２のコンポーネントキャリア上で前記第２のデータチャネルを使用して制御データの少なくとも一部分を送信するようにさらに動作可能である、
請求項１３に記載のユーザ機器。
【請求項１５】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１１に記載のユーザ機器。
【請求項１６】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項１１に記載のユーザ機器。
【請求項１７】
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１１に記載のユーザ機器。
【請求項１８】
前記少なくとも１つのプロセッサおよび前記メモリは、少なくとも部分的に、不連続リソース割振りが、前記少なくとも１つのコンポーネントキャリア上でサポートされるかどうかを決定することによって、前記並列送信が、前記少なくとも１つのコンポーネントキャリア上でサポートされないと決定するように動作可能である、
請求項１１に記載のユーザ機器。
【請求項１９】
ワイヤレスネットワークにおいて複数のコンポーネントキャリア上で通信するためのユーザ機器であって、
１つまたは複数のセルによって構成された前記複数のコンポーネントキャリアのための構成情報を取得するための手段と、
前記１つまたは複数のセルを用いて制御チャネルおよびデータチャネルの並列送信を実行するようにとのインジケーションを受信するための手段と、
前記並列送信が、前記複数のコンポーネントキャリアのうちの少なくとも１つのコンポーネントキャリア上でサポートされないと、前記インジケーションを受信することに基づいて、決定するための手段、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを送信するための手段と
を備える、ユーザ機器。
【請求項２０】
前記送信するための手段は、前記並列送信が、前記少なくとも１つのコンポーネントキャリア上でサポートされないと決定することに基づいて、前記データチャネルを送信し、前記データチャネル上で制御データを送信するための手段をさらに備える、
請求項１９に記載のユーザ機器。
【請求項２１】
前記データチャネルが、前記少なくとも１つのコンポーネントキャリア上で送信されるようにスケジュールされないと決定するための手段と、
前記複数のコンポーネントキャリアからの第２のコンポーネントキャリア上で第２のデータチャネルを識別するための手段と
をさらに備え、前記送信するための手段は、前記少なくとも１つのコンポーネントキャリア上で前記制御チャネルを送信し、前記第２のコンポーネントキャリア上で前記第２のデータチャネルを送信する、
請求項１９に記載のユーザ機器。
【請求項２２】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１９に記載のユーザ機器。
【請求項２３】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項１９に記載のユーザ機器。
【請求項２４】
前記構成情報は、キャリアアグリゲーションにおいて第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項１９に記載のユーザ機器。
【請求項２５】
前記決定するための手段は、少なくとも部分的に、不連続リソース割振りが、前記少なくとも１つのコンポーネントキャリア上でサポートされるかどうかを決定することによって、前記並列送信が、前記少なくとも１つのコンポーネントキャリア上でサポートされないと決定する、
請求項１９に記載のユーザ機器。
【請求項２６】
ワイヤレスネットワークにおいて複数のコンポーネントキャリア上で通信するためのコンピュータ実行可能コードを備える非一時的コンピュータ可読記憶媒体であって、前記コードは、
１つまたは複数のセルによって構成された前記複数のコンポーネントキャリアのための構成情報を、ユーザ機器（ＵＥ）によって取得するためのコードと、
前記１つまたは複数のセルを用いて制御チャネルおよびデータチャネルの並列送信を実行するようにとのインジケーションを、前記ＵＥによって受信するためのコードと、
前記並列送信が、前記複数のコンポーネントキャリアのうちの少なくとも１つのコンポーネントキャリア上でサポートされないと、前記ＵＥによって、および、前記インジケーションを受信することに基づいて、決定するためのコード、ここにおいて、前記少なくとも１つのコンポーネントキャリアは、前記１つまたは複数のセルのうちのプライマリセルに対応する、と、
前記並列送信を実行するようにとの前記インジケーションに少なくとも部分的に基づいて、および前記並列送信が、前記少なくとも１つのコンポーネントキャリア上でサポートされないと決定することに少なくとも部分的に基づいて、前記少なくとも１つのコンポーネントキャリア上で前記制御チャネルまたは前記データチャネルのうちの１つを、前記ＵＥによって送信するためのコードと
を備える、非一時的コンピュータ可読記憶媒体。
【請求項２７】
前記送信するためのコードは、前記並列送信が、前記少なくとも１つのコンポーネントキャリア上でサポートされないと決定することに基づいて、前記データチャネルを送信し、前記データチャネル上で制御データを送信するためのコードをさらに備える、
請求項２６に記載の非一時的コンピュータ可読記憶媒体。
【請求項２８】
前記コードは、
前記データチャネルが、前記少なくとも１つのコンポーネントキャリア上で送信されるようにスケジュールされないと決定するためのコードと、
前記複数のコンポーネントキャリアからの第２のコンポーネントキャリア上で第２のデータチャネルを識別するためのコードと
をさらに備え、前記送信するためのコードは、前記少なくとも１つのコンポーネントキャリア上で前記制御チャネルを送信し、前記第２のコンポーネントキャリア上で前記第２のデータチャネルを送信する、
請求項２６に記載の非一時的コンピュータ可読記憶媒体。
【請求項２９】
前記構成情報は、デュアル接続性において第１のセルグループおよび第２のセルグループ上で前記複数のコンポーネントキャリアを構成することに関係し、前記少なくとも１つのコンポーネントキャリアは、前記第１のセルグループまたは前記第２のセルグループのうちの１つのためのプライマリコンポーネントキャリアとして構成される、
請求項２６に記載の非一時的コンピュータ可読記憶媒体。
【請求項３０】
前記構成情報は、キャリアアグリゲーションにおいて第１のセルを用いて前記複数のコンポーネントキャリアを構成することに関係し、前記少なくとも１つのコンポーネントキャリアは、プライマリコンポーネントキャリアとして構成される、
請求項２６に記載の非一時的コンピュータ可読記憶媒体。